(57)【要約】      （修正有）【課題】留め具の嵌合突起部がそれぞれのスリットに嵌合され、弾性留め板がワンタッチ操作により掲示物を固定できるように構成された額縁を提供する。【解決手段】保持枠の裏面と内側にスリットを形成し、留め具の嵌合突起部がそれぞれのスリットに摺動自在に嵌合され、保持枠に対する任意の位置に留め具を設置できるように構成し、垂直板材、該垂直板材から起立する弾性起立片、水平板部、掛け板部、弾性留め板からなる留め具が、弾性プラスチックで一体的に形成されており、ヒンジを介して掛け板部と弾性留め板部を押し圧して掲示物を固定できるように構成し、且つ、ヒンジを介して掛け板部と弾性留め板部を押し圧して掲示物を固定するときに、垂直板材から起立する弾性起立片の係止部が掛け板部に設けた係止孔に嵌着され、逆の操作で掲示物を容易に取り外し交換できるように構成したことを特徴とする。【選択図】図１
0003145393.tif 000002
【実用新案登録請求の範囲】
【請求項１】
長方形の額縁の４辺を成す保持枠同士をそれぞれ直角に結合し、該保持枠の裏面と内側にスリットを形成し、留め具の嵌合突起部がそれぞれのスリットに嵌合され、弾性留め板がワンタッチ操作により掲示物を固定できるように構成された額縁。
【請求項２】
保持枠の裏面と内側にスリットを形成し、留め具の嵌合突起部がそれぞれのスリットに摺動自在に嵌合され、保持枠に対する任意の位置に留め具を設置できるように構成したことを特徴とする請求項１記載の額縁。
【請求項３】
垂直板材、該垂直板材から起立する弾性起立片、水平板部、掛け板部、弾性留め板からなる留め具が、弾性プラスチックで一体的に形成されており、ヒンジを介して掛け板部と弾性留め板部を押し圧して掲示物を固定できるように構成した請求項１記載の額縁。
【請求項４】
ヒンジを介して掛け板部と弾性留め板部を押し圧して掲示物を固定するときに、垂直板材から起立する弾性起立片の係止部が掛け板部に設けた係止孔に嵌着され、逆の操作で掲示物を容易に取り外し交換できるように構成した請求項１記載の額縁。
【考案の詳細な説明】
【技術分野】
【０００１】    本考案は額縁に関し、特に長方形の額縁の４辺を成す保持枠同士をそれぞれ直角に結合し、該保持枠の裏面と内側にスリットを形成し、留め具の嵌合突起部がそれぞれのスリットに嵌合され、弾性留め板がワンタッチ操作により掲示物を固定できるように構成された額縁に関する。
【背景技術】
【０００２】  一般的に、絵画等の作品をセットしたり、取り替えるときにはコーナー部の連結を外したり、組み立てたりする手間が掛かるものであった。また、予め長方形に組み立てられた額縁に掲示物を固定したり入れ替えたりする商品が開発されている。【０００３】  これらの例としては、特開平９−２５２８９８号公報「額縁」や特開平７−３１５３０号公報「額縁」や実公平４−３７４９１号等が開示されている。【０００４】
【特許文献１】  特開平９−２５２８９８号公報
【特許文献２】  特開平７−３１５３０号公報
【特許文献２】  実公平４−３７４９１号公報
【考案の開示】
【考案が解決しようとする課題】
【０００５】  引用文献１の特開平９−２５２８９８号公報では、保持枠の内側に掲示物を装着し、次いで留め板を撓ませて固定するものであるが、留め板を撓まして取付ける作業中に掲示物がずれたりしてやり直しがしづらく、また、やり直しの場合は掲示物を損傷する問題が生じるものであった。【０００６】  引用文献２の特開平７−３１５３０号公報では、留め具に押しピンの外径と略類似の内径の細孔を形成し、押しピンを留め具に挿通して保持させるもので、この押しピンで留め具が保持されており、留め具の他に押しピンの部品を必要とするので部品数が増え、装着の作業性にも問題があった。【０００７】  引用文献３の実公平４−３７４９１号公報では、四角形状の合成樹脂製裏板の周縁部にヒンジを一体成形し、ヒンジを介して回動して額縁を形成するものであるが、複数の凹状又は凸状の係合部を嵌着しなければならず、この作業中に掲示物が偏ったり、しわができたりする問題があった。
【課題を解決するための手段】
【０００８】  このような課題を解決するために鋭意研究の結果本考案の額縁は、長方形の額縁の４辺を成す保持枠同士をそれぞれ直角に結合し、該保持枠の裏面と内側にスリットを形成し、留め具の嵌合突起部がそれぞれのスリットに嵌合され、弾性留め板がワンタッチ操作により掲示物を固定できるように構成し、保持枠の裏面と内側にスリットを形成し、留め具の嵌合突起部がそれぞれのスリットに摺動自在に嵌合され、保持枠に対する任意の位置に留め具を設置できるように構成し、垂直板材、該垂直板材から起立する弾性起立片、水平板部、掛け板部、弾性留め板からなる留め具が、弾性プラスチックで一体的に形成されており、ヒンジを介して掛け板部と弾性留め板部を押し圧して掲示物を固定できるように構成し、且つ、ヒンジを介して掛け板部と弾性留め板部を押し圧して掲示物を固定するときに、垂直板材から起立する弾性起立片の係止部が掛け板部に設けた係止孔に嵌着され、逆の操作で掲示物を容易に取り外し交換できるように構成したことを特徴とする額縁である。
【考案の効果】
【０００９】  以上説明したような本考案の額縁では、留め具を軽く曲げ、上部より軽く押し圧するだけで、極めて容易に掲示物を固定することができ、作業性がよく、掲示物を曲げたり損傷することがなく、誰でも容易に掲示物をセットすることができる額縁である。
【考案を実施するための最良の形態】
【００１０】  以下、図面に基づいて、本考案を実施するための最良の形態を具体的に説明する。
図面に於いて、図１は本考案に係る額縁の背面から見た部分斜視図である。図２は留め具の斜視図である。図３は使用状態を示す額縁の背面から見た部分斜視図である。【００１１】  図１に示すように、長方形の額縁１の４辺を成す保持枠１１同士をそれぞれ直角に結合し、該保持枠１１の裏面にスリット１２を形成し、内側にスリット１３を形成し、留め具２の嵌合突起部２４がスリット１２に嵌合され、留め具２の嵌合突起部２２がスリット１３に嵌合され、留め具２はスライド自在であり、保持枠１１の任意の個所に複数セットすることができる。【００１２】  留め具２は全体がＰＰ等の合成樹脂で一体成形されており、その全体図は図２に示すとおりであり、留め具の２の保持枠１１へのセット状態は図１に示すとおりである。【００１３】  図２に基づいて留め具２の全体構造について説明すると、嵌合突起部２２を有する垂直板材２１から弾性起立片２９が同一面で起立しており、弾性起立片２９の先端部には係止部３０が一体的に形成されており、垂直板材２１から水平板材２３、掛け板部２６、弾性留板２８が一体的に延在している。【００１４】  水平板材２３と掛け板部２６はヒンジ２５を介して連結されているので、掛け板部２６と弾性留板２８を矢印ａ方向へ折り曲げれば、図３に示すように弾性起立片２９の係止部３０が、掛け板部２６に設けた係止孔２７に嵌り、弾性留板を軽くワンタッチ押し圧する操作により、透明板３に積層された掲示物３１を容易に固定でき、掲示物３１は開口部４に嵌めこむことができる。【００１５】  掲示物３１の交換をする場合は、弾性起立片２９の係止部３０を係止孔２７より容易に外すことができる。
【図面の簡単な説明】
【００１６】
【図１】  本考案に係る額縁の背面から見た部分斜視図である。
【図２】  留め具の斜視図である。
【図３】  使用状態を示す額縁の背面から見た部分斜視図である。
【符号の説明】
【００１７】１    額縁
１１  保持枠
１２  裏面スリット
１３  内側スリット
２    留め具
２１  垂直板材
２２  嵌合突起部
２３  水平板材
２４  嵌合突起部
２５  ヒンジ
２６  掛け板部
２７  係止孔
２８  弾性留板
２９  弾性起立片
３０  係止部
３    透明板
３１  掲示物
４    開口部
【図１】
0003145393.tif 000003
【図２】
0003145393.tif 000004
【図３】
0003145393.tif 000005